Podtech/llm-jp-corpus-v4-ja_patent huggingface dataset:
(57)【要約】      （修正有）【課題】体外にとび出したイボ痔を体内に納める、イボ痔専用バンドを提供する。【解決手段】ストッキングの伸縮性を利用し４本のストッキングを編み込み、又他の４本のストッキングを各自ねじりを入れてウエストのところで前後まとめたものです。ウエストにサスペンダーを取り付けより強力に痔にフィットする。体外にとび出しているイボ痔を指で体内に押し込みその状能でストッキングバンド（サスペンダ付き）を使用すると痔はいつまでも体内に納まる。【選択図】図１２
0003234562.tif 000002
【実用新案登録請求の範囲】
【請求項１】
ストッキングで編み込んだ１本の紐とストッキングでねじって作った４本の紐をウエストラインで１本化しウエストにサスペンダーを付けて使用します。
１本化した紐は痔にあたる様に装着します。
【考案の詳細な説明】
【０００１】本考案はイボ痔に悩む人々に、考案したストッキングと、サスペンダーで作られてます。
【背景技】
【０００２】従来、イボ痔の方は病院での手術や市販薬などで対処するしかありません。市販の薬でもなかなか治りきらす、病院での治療や手術となれば痛い思いをし、費用もかかります。
【考案の概要】
【考案が解決しようとする課題】
【０００３】イボ痔は体外に飛び出すと、下着やズボンにあたり擦れてとても痛く、歩くこともままならぬ状態になります。
またイボ痔の大きさも様々で、１日に飛び出す回数も、数十回になる時もあります。
イボを体内に収めるまではそう云う痛みは和らぐことはありません。
今回考案したサスペンダー付ストッキングバンドは、そういった症状を抑え、一日を快適に過ごせるよう考案したバンドです。従来のバンドとのちがいはサスペンダーを付けた事によってより強力に痔にフィットするよう出来ています。
【課題を解決するための手段】
【０００４】本考案は、ストッキングの伸縮性を利用し４本のストッキングを編み込み、又他の４本のストッキングを各自ねじりを入れてウエストのところで前後まとめたものです。ウエストにサスペンダーを取り付けより強力に痔にフィットする様に出来ています。
【考案の効果】
【０００５】体外にとび出しているイボ痔を指で体内に押し込みその状能でストッキングバンド（サスペンダ付き）を使用すると痔はいつまでも体内に納ってくれているので一日中快適に過ごせます。
【図面の簡単な説明】
【０００６】
【図１】本考案の基本となるストッキングである。
【図２】ストッキングを３ヶ所にてカット。Ｂ１は廃棄する。
【図３】カットした後の使用する部分
【図４】図３  Ｃ１を半分に折る。
【図５】ＥとＥ１をつなぎ合わせる
【図６】図５のＥ１をねじって使用する。
【図７】図６の下を側面から見た図
【図８】全体を側面からみた図
【図９】サスペンダー
【図１０】１本のストッキングを２本のストッキングで編み込んだもの。途中あみこむ方の２本のストッキングをつないでいる。
【図１１】図５の完成図
【図１２】サスペンダーと図１０のあみ込んだストッキング。図１１のストッキングを組み合わせた完成図
【図１３】全体を側面から見た図
【図１４】全体を上から見た図
【図１５】四角い×印のところはサスペンダーの金具とウエストラインを粘着力のあるテープで止めたもの。
【図１】
0003234562.tif 000003
【図２】
0003234562.tif 000004
【図３】
0003234562.tif 000005
【図４】
0003234562.tif 000006
【図５】
0003234562.tif 000007
【図６】
0003234562.tif 000008
【図７】
0003234562.tif 000009
【図８】
0003234562.tif 000010
【図９】
0003234562.tif 000011
【図１０】
0003234562.tif 000012
【図１１】
0003234562.tif 000013
【図１２】
0003234562.tif 000014
【図１３】
0003234562.tif 000015
【図１４】
0003234562.tif 000016
【図１５】
0003234562.tif 000017
【手続補正書】
【提出日】令和3年7月12日(2021.7.12)
【手続補正１】
【補正対象書類名】実用新案登録請求の範囲
【補正対象項目名】全文
【補正方法】変更
【補正の内容】
【実用新案登録請求の範囲】
【請求項１】
ストッキングで編み込まれた１本の紐と、ストッキングでねじって作られた４本の紐と、サスペンダーとからなることを特徴とする付痔専用バンド。
(57)【要約】      （修正有）【課題】植物が根腐れしにくく、貯水部の水を最後まで確実に給水でき、外鉢の貯水部への水の補充も簡単な園芸用底面給水鉢を提供する。【解決手段】吸水しにくいフェルト製もしくは樹脂製の吸水棒３を用いることで、植物に給水しすぎるのを防ぎ、植物が植わったポリポット７をインナーポット２に嵌め込み、貯水部５とポリポット７の間に空間を作ることで、根腐れを起こすことを防ぎ、吸水棒３を外鉢１の貯水部の底面に接触させることで、貯水部５の水を最後まで確実に給水可能にし、外鉢１を透明もしくは半透明にして外鉢１の外側から貯水部５の水位を目視で確認できるようにすることで、外鉢１から植物を抜くことなく簡単に貯水部５に水を補充できるように設計した。【選択図】図１
0003234561.tif 000002
【実用新案登録請求の範囲】
【請求項１】
透明もしくは半透明の素材からなり貯水部５を有する外鉢１と、円錐状のインナーポット２、フェルト製もしくは樹脂製の吸水棒３からなる園芸用底面給水鉢で、ポリポット７で育成した植物をポリポット７から抜くことなく底面給水することのできる園芸用底面給水鉢。
【考案の詳細な説明】
【技術分野】
【０００１】  本考案は、底面給水方式を利用した園芸用鉢に関するものである。
【背景技術】
【０００２】  底面給水方式は、植栽した植物が必要なだけの水分を給水することができ、貯水部の容量を大きくすれば、長期の水やりが不要になり潅水の手間も省けるため、非常に合理的な給水方式であると言える。従来の底面給水方式の鉢では、給水には吸水紐を用いて水を吸い上げる方式が採用されている。吸水紐を使用する場合、水を吸い上げすぎて植物が根腐れを起こしたり、吸水紐が鉢底に張り付いてしまって逆にうまく給水できなかったりする事態もあった。（特許文献１参照）。
【先行技術文献】
【特許文献】
【０００３】
【特許文献１】実登３２０５５７６
【考案の概要】
【考案が解決しようとする課題】
【０００４】  本考案は、貯水部内の水を植物に確実に給水でき、手を汚さずに簡単に給水することが可能で、根腐れもしにくい、底面給水方式の園芸用鑑賞鉢を開発しようとするものである。
【課題を解決するための手段】
【０００５】  本考案は、外鉢１、インナーポット２、吸水棒３を組み合わせることにより構成される。給水には吸水紐よりも吸水しにくい素材であるフェルト製または合成繊維製または合成樹脂製の吸水棒３を用いる。インナーポット２は底の抜けた円錐状のポットで、足部６側にスリット８を有する。植物の植えてあるポリポット７の底部に吸水棒３を差し込み、ポリポット７をインナーポット２に嵌め込み、さらにこのインナーポット２を外鉢１に嵌め込んで固定する。外鉢１は透明または半透明の樹脂製もしくはガラス製で、内底部には三対の突起４を有する。外鉢１とインナーポット２を固定した状態において、吸水棒３が外鉢１の貯水部の底面に接触するようにすることで課題を解決している。
【考案の効果】
【０００６】  吸水紐の代わりに折れ曲がりにくい吸水棒３を用いる事で、吸水紐が外鉢１の内壁に張り付いて最後まで吸水できなくなるのを防止できる。吸水棒３を通して、毛細管現象によって徐々にポリポット７内部の植物の根へと給水されるため、根腐れの心配も少ない。吸水棒３を外鉢１の貯水部５の底面に接触させておくことで、貯水部５内の水が完全になくなるまでポリポット７内に給水される。外鉢１とインナーポット２は、互いに固定されていないとしても、インナーポット２の足部、吸水棒３とによって支えられ、外鉢１の貯水部と植物との間に空間を確保できるため、植物の根が直接貯水部５の水に触れず、根腐れの心配がない。また、外鉢１の内底部の三対の突起４によってインナーポット２が支えられるため、インナーポット２が横にずれて傾いてしまう心配もない。給水は外鉢１からインナーポット２を抜くことなく、植物の株元に直接潅水し、ポリポット７の底から流れ出た水を貯水部５に貯めておく。こうすることで、水やり時に水が垂れたり手が汚れたりすることなく簡単に給水できる。外鉢１には透明または半透明の素材からなり、貯水部５の水位を外部から目視で確認できるため、水を入れすぎる心配もない。
【図面の簡単な説明】
【０００７】
【図１】  本考案の立面図。
【図２】  外鉢１の平面図。
【図３】  インナーポット２の展開図。
【考案を実施するための形態】
【０００８】  植物の植えてあるポリポット７の底部に吸水棒３を差し込み、ポリポット７をインナーポット２に嵌め込み、さらにこのインナーポット２を外鉢１に嵌め込んで固定する。インナーポット２は図３のように、樹脂製など耐水性のあるシート状の素材を丸めて円錐形にしたような簡単なもので構わない。外鉢１の内底部の三対の突起、インナーポット２の足部６、吸水棒３によってポットを支えられたポットと、貯水部５との間に空間ができるように、貯水部の水位は、ポットの位置よりも低い位置までに抑える。外鉢１の内底部に接触するように吸水棒３を設置することで、貯水部５の水が完全になくなるまで吸水棒３を通して毛細管現象によって徐々にインナーポット２へ供給され続ける。
【符号の説明】
【０００９】１      外鉢
２      インナーポット
３      吸水棒
４      三対の突起
５      貯水部
６      足部
７      ポリポット
８      スリット
９      糊代
【図１】
0003234561.tif 000003
【図２】
0003234561.tif 000004
【図３】
0003234561.tif 000005
【手続補正書】
【提出日】令和3年6月2日(2021.6.2)
【手続補正１】
【補正対象書類名】実用新案登録請求の範囲
【補正対象項目名】請求項１
【補正方法】変更
【補正の内容】
【請求項１】
透明もしくは半透明の素材からなり貯水部５を有する外鉢１と、円錐状のインナーポット２と、フェルト製もしくは樹脂製の給水棒３とからなる園芸用底面給水鉢であって、ポリポット７の底部に給水棒３が設置されることを特徴とする園芸用底面給水鉢。
(57)【要約】      （修正有）【課題】体に巻き付け、モーターを回すと、空気が吹き上がり、開いた首回りから空気が抜け、体が冷える送風ベルトを提供する。【解決手段】風車２を正逆回転するよう器具１内に入れ、正逆回転するモーター３を器具１の外部に取り付け、モーター３にて器具内部の風車２を回すと器具１の下面の空気取り込み口４から空気が入り器具１の内部の風車２が正逆回転のため空気が器具１の下から入り圧縮され、器具１の内部から吹き上げられた空気は、器具１の吐き出し口５から吐き出され、体を吹きあがり衣類の開いた首回りから放出するようにした、器具１を電池と共にベルトに取り付けた。【選択図】図１
0003234556.tif 000002
【実用新案登録請求の範囲】
【請求項１】
器具の内部に正逆回転する二つの風車を取り付け、器具の外部に取り付けた正逆回転する二つのモーターにて内部の風車を回転させ、器具の下よりの空気を押しあげ器具の上部より空気を吹き上げ、体を冷し衣服の開いた首回りより空気が吹き出る器具を電池と共にベルトに取り付け、ベルトを体に巻き器具内の風車により器具の下から空気が器具内を圧送し上部より空気が吹き出るようにした、体に巻き付けた送風ベルト。
【考案の詳細な説明】
【技術分野】
【０００１】
本考案は、内部にモーターにて正逆回転する風車を取り付けた器具を、体に巻き付けたベルトに複数セットし、器具の下側より空気が風車にて器具の上より吹きあがり、体を冷し開いた首回りから吹き出るようにした、体に巻き付けた送風ベルト。
【背景技術】
【０００２】
従来は小型扇風機を上着の袖に取り付けたり腰のバンドに差し込む等あるが、男性ならばそれでもよいが女性では外部に見えてしまい抵抗があるが、この発明は衣類の中にかくれてしまうため外からは見えないから特に女性用の器具である。
【考案の概要】
【考案が解決しようとする課題】
【０００３】
男性はネクタイを閉めているし緩めても風の通りが悪いが、女性は首まわりが開いているから風の通りがよいためこの発明のベルトを体に巻けば最良である。
【課題を解決するための手段】
【０００４】
器具１の内部に正逆回転の風車２を設け、正逆回転するモーター３を器具１に取付け、風車２を接続回転させると空気吹き込み口４から器具１内を通り上部の穴５から吹きあがり、体６を冷し首７から空気が吹き抜ける器具１をベルト８にて体に巻きなお器具のモーターを駆動する電池をベルト８に取付け、体に巻き付けると空気の吹きあがりにより体が冷えることを特徴とする、体に巻き付けた送風ベルト。
【考案の効果】
【０００５】
此の器具を複数取り付けたベルトを体に巻き付けモーターを回すと、空気が吹きあがり開いた首回りから空気がぬけ体が冷えることを特徴とする、体に巻き付けた送付ベルト。
【図面の簡単な説明】
【０００６】
【図１】器具の本体を示す図である。
【図２】器具１の側面図である。
【図３】器具１の上面図である。
【図４】器具１の下面図である。
【図５】器具１の内部の風車を示す図である。
【図６】器具１を取り付けたベルトを示す図である。
【図７】体を示す図である。
【考案を実施するための形態】
【０００７】
器具の内部に風車を二つ取り付け風車が正逆回転するように外部に取り付けたモーターにて回転させ、空気が下から器具の中を通り上から空気を放出する器具と電池をベルトに取り付けた、体に巻き付けた送付ベルト。
【実施例】
【０００８】
以下添付図面にて実施例を説明する。
図１は器具１の本体で風車２を正逆回転するよう器具１内に入れ、正逆回転するモーター３を器具１の外部に取り付け、モーター３にて器具内部の風車２を回すと器具１の下面の空気取り込み口４から空気が入り器具１の内部の風車２が正逆回転のため空気が器具１の下４から入り圧縮され、器具１の内部から吹き上げられた空気は、器具１の吐き出し口５から吐き出され体６を吹きあがり衣類の開いた首回り７から放出するようにした、器具１を電池と共にベルト８に取り付け体を冷やすようにした、体に巻き付けた送付ベルト。
【符号の説明】
【０００９】
１  器具
２  器具内部の風車
３  器具外部に取り付けたモーター
４  器具下部の空気取り入れ口
５  器具上部の空気吐き出し口
６  体
７  衣類の開いた首
８  ベルト
【図１】
0003234556.tif 000003
【図２】
0003234556.tif 000004
【図３】
0003234556.tif 000005
【図４】
0003234556.tif 000006
【図５】
0003234556.tif 000007
【図６】
0003234556.tif 000008
【図７】
0003234556.tif 000009
(57)【要約】      （修正有）【課題】自転車に乗る時の裾の巻き込みを起きにくくする、衣服を提供する。【解決手段】自転車の車輪およびチェーンへのワイドパンツの巻き込みを防ぐため、裾２に強力マグネット４を縫い込み、マグネット同士を止めることによって容易に裾幅を調節して裾の巻き込みを防止できる構造の衣服。衣類１の裾の縫い目の中にマグネットを縫い込み、裾の幅を調節できるようにする。脇の縫目に挟み込んだタブ３を持って調節する。【選択図】図１
0003234560.tif 000002
【実用新案登録請求の範囲】
【請求項１】
裾にマグネットを縫い込み、容易に止めはずしができるようにした衣類。
裾をマグネットで調整することによって、自転車の車輪やチェーンに裾の巻き込みや油などの汚れの付着を回避できるもの。
【考案の詳細な説明】
【技術分野】
【０００１】    本考案は、裾にマグネットを縫い込んだ衣類に関するものである。
【背景技術】
【０００２】  自転車に乗る時に衣類の裾をチェーンやタイヤに巻き込んでしまい、汚れたり、裾が切れたりという問題が起きる。現状は裾をまくりあげたり、ストラップを巻くなどして対処している人が多く不都合が生じていた。
【考案の概要】
【考案が解決しようとする課題】
【０００３】  自転車に乗る時に裾を巻きこんだり、切ったりするリスクを軽減。自転車に乗るたびに裾をまくりあげたり、ストラップを巻かなくてよいようにする。
【課題を解決するための手段】
【０００４】  衣類（主にロングパンツ）の裾にラミネートされた強力マグネットを縫い込む。裾の両脇に縫い込まれたタブを持ち、裾をサッと畳むだけでマグネット同士が引き寄せあい簡単に裾幅が細くなる仕様にする。
【考案の効果】
【０００５】  自転車の運転中、裾が車輪やチェーンに巻き込む事は大変危険なため、本考案により危険のリスクを減らし、自転車を安全に運転するのに貢献できる。
さらに自転車に乗るたびに裾をまくりあげたり、ストラップなどを巻く必要がなくなる。手間がかからず、また衣類のシワにもならないため、通勤や外出などに便利で、自転車利用者のストレスを軽減することも期待できる。
新しい生活様式で毎日自転車に乗る人たちがふえたので、自転車運転の制約を受けず衣服の選択肢を増やすことも期待できる。
【図面の簡単な説明】
【０００６】
【図１】  本考案の裾の仕様を表す図である。
【図２】  本考案の裾を止めたときの状態を表す図である。
【考案を実施するための形態】
【０００７】  衣類の裾の縫い目の中にマグネットを縫い込み、裾の幅を調節できるようにする。
脇の縫目に挟み込んだタブを持って調節する。
【符号の説明】
【０００８】  １  衣服本体後見頃
２  裾
３  タブ
４  マグネット
５  衣服本体側面
６  裾仕様  拡大断面図
【図１】
0003234560.tif 000003
【図２】
0003234560.tif 000004
【手続補正書】
【提出日】令和3年7月13日(2021.7.13)
【手続補正１】
【補正対象書類名】実用新案登録請求の範囲
【補正対象項目名】全文
【補正方法】変更
【補正の内容】
【実用新案登録請求の範囲】
【請求項１】
自転車の車輪およびチェーンへのワイドパンツの巻き込みを防ぐため、裾に強力マグネットを縫い込み、マグネット同志を止めることによって容易に裾幅を調節して裾の巻き込みを防止できる構造の衣服。
(57)【要約】      （修正有）【課題】ループを使って野外活動で四隅をタオルを広げたまま物体に固定したり、海辺で敷物として使用する時にタオルの四隅を固定したり、また日焼け防止や保温のためにタオルを被って使用する時に、ループにより、形状を維持することが容易にできるループ付きタオルを提供する。【解決手段】本考案のループ付タオル１は、四角形のタオル本体２と、前記タオル本体の四隅に取り付けられたループＡ１、Ａ２、Ａ３、Ａ４とを備えることを、特徴とするタオルである。 【選択図】図１
0003234970.tif 000002
【実用新案登録請求の範囲】
【請求項１】
四角形のタオル本体と
前記タオル本体の四隅に取り付けられたループとを備える
ループ付きタオル。
【請求項２】
前記ループは、横長の台形状であり、
台形の上底と下底にあたる辺は前記タオル本体に縫い合わせず
台形の残りの２辺をそれぞれ前記タオル本体に縫い合わせていることを特徴とする
請求項１記載のループ付きタオル。
【考案の詳細な説明】
【技術分野】
【０００１】
本考案は、ループがタオル本体に取り付けられたループ付きタオルに関する。
【背景技術】
【０００２】
タオルは、日常の様々な場面で使用するものであるが、キャンプなどの野外活動や、海水浴などの海辺などで、大判のタオルが必要な場面がある。
例えば、海水浴で、海辺で大判のタオルを敷物として敷くときに、ペグなどでタオルの四隅を固定しようとしてもタオル本体には紐やゴムなどが何もついていないと固定しにくい。
またキャンプなどの野外活動で日差しよけに大判のタオルを使用する場合、タオルの四隅を固定しようとすると、別の紐やゴムなどで固定しなければいけない。
また、タオルを被って日焼け防止や保温などに使用する時は、紐やゴムなどがないと固定しにくい。
そこで、タオル本体に、ループがついているようなタオルが求められる。
【先行技術文献】
【特許文献】
【０００３】
【特許文献１】実用新案登録３２２７０１４号
【考案の概要】
【考案が解決しようとする課題】
【０００４】
上記実用新案のループ付きタオルは、タオルを小さくして折りたたんだ状態を維持するためのものであり、タオルを広げたまま物体に固定したりするためのループではなかった。
【０００５】
本考案の課題は、ループ付きタオルであって、ループを使って野外活動で四隅をタオルを広げたまま物体に固定したり、海辺で敷物として使用する時にタオルの四隅を固定したり、また日焼け防止や保温のためにタオルを被って使用する時に、ループにより、形状を維持することが容易にできるタオルを提供することにある。
【課題を解決するための手段】
【０００６】
四角形のタオル本体と
前記タオル本体の四隅に取り付けられたループとを備える
ループ付きタオルである。
【考案の効果】
【０００７】
本考案のループ付きタオルによれば、四隅に取り付けられたループがあることによって、他の物体にループを引っ掛けて、タオルを容易に物体に固定できる。またタオルの端をループに通すことにより、形状を維持することが容易にできるタオルを提供する。
【考案を実施するための最良の形態】
【０００８】
以下、図面を用いて、本考案に係るループ付きタオルの実施の形態を説明する。図１は、本考案に係るループ付きタオルの正面図である。
【０００９】
本実施形態にかかるループ付きタオル１は、タオル本体２と、タオルの各四隅にループＡ１〜Ａ４を備える。
【００１０】
ループの材質は、綿、ポリエステル、ナイロン、ポリウレタンなどが好ましいが、幅広ゴム紐など伸縮性のある素材でもよい。
【００１１】
図１で示すように本考案のループ付きタオルは、四角形のタオル本体２の四隅にループＡ１〜Ａ４を備える。前記ループＡ１〜Ａ４は、前記タオルの表面の四隅に、上記の材質のものをループ材として横長の台形状にカットして、台形の上底と下底にあたる部分は前記タオル本体２に縫い合わせず、台形の斜めの辺である残りの２辺の部分を前記タオル本体２に糸で縫い合わせる。
【００１２】
図２で示すように、タオルを広げた状態から肩に被って、日焼け防止や、保温のために使用する時は、ループＡ２とループＡ３を指に引っ掛けて使用する。それにより、一枚のタオルであっても、衣服のように日焼け防止や保温の効果があり、体に固定することが可能となる。もし、タオルにループがなければ、日よけや保温のために使用しようとしても、タオルが体より滑り動き、あるべき位置から少し動いたり、基準の位置に合わない状態になる。
【００１３】
図３で示すように、タオルを肩からかけてループＡ２とループＡ３を指に引っ掛けて使用すると、手の甲と腕をタオルで覆うことができ、手の甲と腕の日焼け防止になる。また前記タオルはカーディガンを羽織っているようにも見え、ファッション性のあるものとして好適に使用できる。
【００１４】
また本考案のループ付きタオルは、顔を覆って、フェイスガードとして使用することができる。例えばループＡ２側のタオルの端をループＡ３に通して、顔に簡単に固定することができる。
【００１５】
また本考案のループ付きタオルは、野外活動などで、ブルーシートのように日除けに使用することができる。四隅にループを備えることによりループＡ１〜Ａ４を樹木などの物体に簡単に固定することができる。
【００１６】
また本考案のループ付きタオルは、海辺などで敷物として簡単に利用できる。例えば砂浜でペグを４本打ち、タオルを敷いて、ループＡ１〜Ａ４をペグに引っ掛けることによってタオルを固定することが可能である。
【００１７】
本考案のループ付きタオルは、上記実施形態に示すものに限定されず、様々な場面で使用できる。
【産業上の利用可能性】
【００１８】
本考案に係るループ付きタオルは、野外活動で日差し除けにタオルを広げたまま四隅を物体に固定したり、海辺で敷物として固定したり、日差し除けや保温のためにタオルを被るときにタオルの端をループに通すことにより形状を維持することが容易にできるタオルを提供する。
【図面の簡単な説明】
【００１９】
【図１】本考案に係るループ付きタオルを示す正面図である。
【図２】本考案に係るループ付きタオルの利用の方法を示した写真である。
【図３】本考案に係るループ付きタオルを利用している写真である。
【符号の説明】
【００２０】
１            ループ付タオル
２            タオル本体
Ａ１―４       ループ       
【図１】
0003234970.tif 000003
【図２】
0003234970.tif 000004
【図３】
0003234970.tif 000005
(57)【要約】      （修正有）【課題】家系図に先祖の生年月日に発行された誕生日新聞を添付し、先祖の過ごした時代の理解を助長する、誕生日新聞付家系図を提供する。【解決手段】家系図本体１で取得した先祖の生年月日の情報を取得し、その情報を活用し誕生日新聞２を発行し、ファイル３に収め、梱包箱４に収め、共に納品することで先祖の過ごした時代の理解を助長する。【選択図】図１
0003234965.tif 000002
【実用新案登録請求の範囲】
【請求項１】
家系図に先祖の生年月日に発行されたメモリアル新聞を添付し、家系図の情報と連動した新聞が照会できるメモリアル新聞付き家系図
【考案の詳細な説明】
【技術分野】
【０００１】  本考案は、先祖の誕生日に発行された新聞誌面を含めた、家系図に関するものである。
【背景技術】
【０００２】  家系図の作成サービスにおいて、先祖の生年月日が判明するが、誕生日新聞は別途提供サービスを別々で利用する必要があった。【０００３】
【非特許文献】「Ｋａｋｅｉｚｕ＋ホームページ」，Ｋａｋｅｉｚｕ＋，２０２１年，ｈｔｔｐｓ：／／ｋａｋｅｉｚｕｐｌｕｓ．ｃｏｍ
【考案の概要】
【考案が解決しようとする課題】
【０００４】  家系図の作成はメモリアル記念品として先祖供養のニーズがある商品およびサービスだが、先祖の生きた古い時代を身近に感じるには利用者にとって困難である。誕生日新聞は先祖の生年月日を家系図と一緒に納品する戸籍から読解し利用者個人が請求する必要があり時間的、労働的負担である。従って、家系図作成サービスと誕生日新聞の発行を一体化することにより先祖供養の目的を達成し理解を深める事の支援になり前述の欠点を解決しようとするものである。
【課題を解決するための手段】
【０００５】  本考案は、家系図作成の過程で特定した先祖の生年月日の情報を活用し、その生年月日に発行された新聞を用意し、家系図と誕生日新聞を一緒に納品することにより問題点を解決している。
【考案の効果】
【０００６】    上述のように、本考案の誕生日新聞付家系図は家系図本体で先祖の情報が把握できることは勿論、誕生日新聞をファイリングして付属したので先祖の生まれた時代と情勢を把握でき、しかも戸籍謄本や歴史年表も付録することにより組み合わせて先祖の理解に役立つ。
【図面の簡単な説明】
【０００７】
【図１】本考案の誕生日新聞付家系図の一実施例を示す正面図である。
【符号の説明】
【０００８】  １  家系図本体
２  誕生日新聞
３  ファイル
４  梱包箱
【図１】
0003234965.tif 000003
(57)【要約】      （修正有）【課題】製造される際の部品点数の削減と重量物の部品の削減、材料、製造コストの削減を図る四輪自動車を提供する。【解決手段】搭載する自動二輪車エンジンの特性を生かし、車両の後部にチェーンドライブ駆動の自動二輪車エンジンを搭載した。【選択図】図２
0003234960.tif 000002
【実用新案登録請求の範囲】
【請求項１】
四輪自動車の後部に自動二輪車のエンジンを原動機として搭載、自動二輪車のようにチェーンドライブを用いて駆動させる。
【考案の詳細な説明】
【技術分野】
【０００１】  本考案は、四輪自動車に、自動二輪車エンジンを用いて、そのエンジンを原動機とし、四輪自動車後部へのエンジン搭載位置に関するものである。
【背景技術】
【０００２】  現在の四輪自動車の製造コストの削減に、車両重量の課題があり、エンジン、駆動系の重量を軽量にすれば、排出ガスの削減や環境問題に配慮した自動車を製造できる。【０００３】  自動二輪車エンジンはコンパクトであり全体の軽さや整備のしやすさ、部品点数の少なさが長所である。そのことが四輪自動車の後部に容易に搭載することができる。また、自動二輪車のようにチェーンドライブ駆動をそのまま活用することができる。または、駆動系を簡単に改良することが可能である。【０００４】  搭載されるエンジンの気筒数は、１気筒、２気筒、３気筒、４気筒、６気筒、８気筒である。【０００５】  燃料のタイプはガソリンエンジン、ディーゼルエンジンである。【０００６】  エンジンの種類は、２ストローク機関、４ストローク機関である。【０００７】  エンジンの配列形式は、直列型、Ｖ型（ブイ型）である。
【先行技術文献】
【特許文献】
【０００８】  なし
【考案の概要】
【考案が解決しようとする課題】
【０００９】  本考案は自動車の製造コストの削減が目的であると共に、環境に配慮した自動車である。
【課題を解決するための手段】
【００１０】  本考案は課題を解決するために、四輪自動車の小型化や製造過程の縮小、コスト削減。
【考案の効果】
【００１１】  本考案の自動車は、設計製造が容易である。整備がしやすいという利点。各自動二輪車のメーカーが製造しているエンジンを四輪自動車に搭載することでき、製造過程でのコストの問題や技術的な問題がなくなる。
【図面の簡単な説明】
【００１２】
【図１】図１は四輪自動車の後方の横から見た透かしの搭載図である。
【図２】図２は四輪自動車の上方から見た搭載図である。
【考案を実施するための形態】
【００１３】  四輪自動車の後部のみに自動二輪車のエンジンを搭載する。
【００１４】  市場で流通されている自動二輪車のエンジンをそのまま搭載できる設計にする。
【００１５】  横置き搭載にし、チェーンドライブによる駆動方式とする。また、専用のギアなど活用する。
【００１６】  マニュアルトランスミッションのみである。
【００１７】  消費者への安全性の確保。
【図１】
0003234960.tif 000003
【図２】
0003234960.tif 000004
【手続補正書】
【提出日】令和3年8月11日(2021.8.11)
【手続補正１】
【補正対象書類名】実用新案登録請求の範囲
【補正対象項目名】全文
【補正方法】変更
【補正の内容】
【実用新案登録請求の範囲】
【請求項１】
車両の後部にチェーンドライブ駆動の自動二輪車エンジンを原動機として搭載した、四輪自動車。
(57)【要約】      （修正有）【課題】食料・医薬品・貨物等を入れて簡単に空中移動でき、おもちゃ箱として安全に活用できる飛翔主翼浮遊箱を提供する。【解決手段】飛翔主翼浮遊箱は、発泡スチロール製空洞本体１の上部へ複数のプロペラ２とコアレスモーター３を装着した飛翔主翼４及び補助翼５を空中浮遊回転筒６に固定し、装着台７の固定柱８に挿入して、天井板９を被せる。発泡スチロール製空洞本体１内部にある電源１０により、コントロールパネル１１を用いて、複数のプロペラ２を駆動し、飛翔主翼４及び補助翼５の揚力で空中へ浮遊する。マグネットシート１２の磁極間の斥け合う力により安定浮遊後、高さ調整し、ポリウレタン樹脂製スポンジ１３横のロープ１４を杭１５に固定する。【選択図】図１
0003234957.tif 000002
【実用新案登録請求の範囲】
【請求項１】
マグネットシートにより常時浮遊する空中浮遊回転筒を含んで構成される飛翔主翼浮遊箱であって、複数の飛翔主翼及び補助翼の揚力で空中浮遊する事を特徴とする飛翔主翼浮遊箱
【考案の詳細な説明】
【考案の詳細な説明】
【技術分野】
【０００１】おもちゃ分野
【背景技術】
【０００２】  従来、風船や磁石の磁力による浮遊及びモーターのプロペラ回転による飛行機等が有ったが、機能が低く、活用するのに制限があった。
【考案の開示】
【考案が解決しようとする課題】
【０００３】  本案は、その欠点を除いて、しかも機能を活かした飛翔主翼浮遊箱を開発しようとするものである。
【課題を解決するための手段】
【０００４】  いま、その解決手段を図面を追いながら説明すれば
（イ）  発泡スチロール製空洞本体（１）上部へ複数のプロペラ（２）とコアレスモーター（３）を装着した飛翔主翼（４）及び補助翼（５）を空中浮遊回転筒（６）に固定し、装着台（７）の固定柱（８）に挿入して、天井板（９）を被せる。
（ロ）  発泡スチロール製空洞本体（１）内部にある電源（１０）により、コントロールパネル（１１）を用いて、複数のプロペラ（２）を駆動し、飛翔主翼（４）及び補助翼（５）の揚力で空中へ浮遊する。
（ハ）  マグネットシート（１２）の磁極間の斥け合う力により安定浮遊後、高さ調整しポリウレタン樹脂製スポンジ（１３）横のロープ（１４）を杭（１５）に固定する。
【考案の効果】
【０００５】  本案は、以上のような構造であるから、これを使用する事により、空中に浮遊するおもちゃ箱として、安全に活用できる飛翔主翼浮遊箱である。
【考案を実施するための最良の形態】
【実施例】
【０００６】  なお、本案の実施にあたって次の如きことができる。
（イ）  マグネットシート（１２）の磁極間の斥け合う力により空中浮遊回転筒（６）を常時浮遊させ、摩擦抵抗を減少させて、飛翔主翼（４）及び補助翼（５）の揚力で空中へ安全浮遊する事ができる。
【図面の簡単な説明】
【０００７】
【図１】  本考案の飛翔主翼浮遊箱の正面図
【符号の説明】
【０００８】（１）発泡スチロール製空洞本体  （２）プロペラ
（３）コアレスモーター  （４）飛翔主翼  （５）補助翼
（６）空中浮遊回転筒  （７）装着台  （８）固定柱
（９）天井板  （１０）電源  （１１）コントロールパネル
（１２）マグネットシート  （１３）ポリウレタン樹脂製スポンジ
（１４）ロープ  （１５）杭
【図１】
0003234957.tif 000003
【手続補正書】
【提出日】令和3年4月26日(2021.4.26)
【手続補正１】
【補正対象書類名】実用新案登録請求の範囲
【補正対象項目名】全文
【補正方法】変更
【補正の内容】
【実用新案登録請求の範囲】
【請求項１】
空中浮遊回転筒に固定した飛翔主翼に装着した複数のプロペラによる推進を揚力にして空中に浮遊する飛翔主翼浮遊箱であって、固定柱に接続した天井板と発泡スチロール製空洞本体の長さや大きさについて異なる組合せができる事を特徴とする飛翔主翼浮遊箱
【手続補正書】
【提出日】令和3年8月18日(2021.8.18)
【手続補正１】
【補正対象書類名】実用新案登録請求の範囲
【補正対象項目名】全文
【補正方法】変更
【補正の内容】
【実用新案登録請求の範囲】
【請求項１】
発泡スチロール製本体上部の装着台にマグネットシートで覆われた固定柱が装着され、上下部及び内側をマグネットシートで覆われた回転筒を有する飛翔主翼浮遊箱であって、複数のプロペラと、コアレスモータが回転筒の主翼に固定されていることを特徴とする飛翔主翼浮遊箱。
(57)【要約】      （修正有）【課題】布マスクの上から装着できて、縁が顔に密着し、飛沫をほぼ完全に閉じ込めるのみならず、外部からの飛沫を遮断することができるマスクを提供する。【解決手段】樹脂板による顔全面を覆うマスクであって、装着者の両眼に対応する部分は、視野が歪まないように平面とし、空気抜きとして、小孔１を穿つか、または、縁２に窪みを設けて顔との間に空間を作る。樹脂板が無色透明ではなく、着色されている。【選択図】図２
0003234958.tif 000002
【実用新案登録請求の範囲】
【請求項１】
樹脂板による顔全面を覆うマスク。装着者の両眼に対応する部分は、視野が歪まないように平面とする。空気抜きには適宜小孔を穿つか、縁に窪みを設けて顔との間に空間を作ることによる。
【請求項２】
材料の樹脂板は無色の透明ばかりではなく、着色も可能である。
【考案の詳細な説明】
【技術分野】
【０００１】本考案は、布マスクによる感染症予防の効果を向上させることを目的とする全顔被覆型樹脂マスクに関するものである。
【背景技術】
【０００２】従来の樹脂製のマスクには、鼻口の前に飛沫防止の遮蔽板を設けるものがある。
また、顔の前全面に盾状に樹脂板を立てるものがある。
【考案の概要】
【考案が解決しようとする課題】
【０００３】以上に述べた方式では鼻口と樹脂板の間に大きな間隙があり、飛沫拡散の防止には役立たない。またその間隙から指を入れ顔を触ることができる。また、布マスクのみでは、ずれて鼻部が露出することがある。
【課題を解決するための手段】
【０００４】そこで、本考案は上記課題を解決するため、布製マスクの上から顔全面を樹脂製の面で覆うこととし、その縁が顔に密着するようにした。
【考案の効果】
【０００５】本考案のマスクは布マスクの上から装着でき、しかも縁が顔に密着しているため、飛沫をほぼ完全に本マスク内に閉じ込めるのみならず、外部の飛沫から顔を遮断することができる。また、手が顔に触れることも防ぎ得る。さらに、材質が樹脂であるから、洗浄・消毒が容易にできる。
【図面の簡単な説明】
【０００６】
【図１】本考案の全体を示す俯瞰図
【図２】本考案の側面図
【考案を実施するための形態】
【０００７】人間の顔面に似せた型を作る。ただし、両眼に位置する部分は突出させ平面にしておく。これを雄型とし、透明な樹脂の薄板を乗せて雄型に対応する雌型を熱を加えつつ押し付け、形成する。あるいは、バキューム法により雄型に樹脂板を気圧を利用して押し付け、形成してもよい。
【０００８】図においては、１は側面図で、２は俯瞰図である。
【実施例】
【０００８】布マスクの上から本考案の樹脂マスクを装着する。眼鏡使用時も装着が可能。
【符号の説明】
【０００９】１  通気用の小孔
２  縁
【図１】
0003234958.tif 000003
【図２】
0003234958.tif 000004
【手続補正書】
【提出日】令和3年8月19日(2021.8.19)
【手続補正１】
【補正対象書類名】実用新案登録請求の範囲
【補正対象項目名】全文
【補正方法】変更
【補正の内容】
【実用新案登録請求の範囲】
【請求項１】
樹脂板による顔全面を覆うマスクであって、装着者の両眼に対応する部分は、視野が歪まないように平面とし、空気抜きとして、小孔を穿つか、または、縁に窪みを設けて顔との間に空間を作る、マスク。
【請求項２】
樹脂板が無色透明ではなく、着色されている、請求項１に記載のマスク。
(57)【要約】      （修正有）【課題】看板をコーンに確実に締め付けて固定することができ、がたつきによる破損を生じないコーン取り付け看板を提供する。【解決手段】コーン１に取り付け可能な看板２において、看板の表示部裏面の２か所以上にベルト状の変形可能な材料から成る固定ベルト５の一方を固定し、看板の表示部裏面に設置した固定ベルトの開放部を締め付け固定可能な締め付け部４を設けた。【選択図】図１
0003234934.tif 000002
【実用新案登録請求の範囲】
【請求項１】
コーンに取り付け可能な看板において、看板の表示部裏面の２か所以上にベルト状の変形可能な材料から成る固定ベルトの一方を固定し、前記看板の表示部裏面に設置した固定ベルトの他方の開放部を締め付け固定可能とする締め付け部とを設けたことを特徴とするコーン取り付け看板。
【考案の詳細な説明】
【技術分野】
【０００１】  本考案は、コーンに取り付けて広告、宣伝、情報伝達に使用されるコーン取り付け看板に関する。
【背景技術】
【０００２】  従来この種の技術は、特許文献１に記載されているように看板の裏面にコーンに挿入できる固定孔を有するステーと称する固定部があり、ステーが看板に対し、回動可能で折り畳めることができる構造となっていた。
【先行技術文献】
【特許文献】
【０００３】
【特許文献１】実用新案登録第３２１８８０７号
【考案の概要】
【考案が解決しようとする課題】
【０００４】  従来この種の技術は特許文献１に記載されているように、看板の裏面にコーンに挿入できる固定孔を有するステーと称する固定部があり、ステーが看板に対し回動可能で折り畳めることができる構造となっていたので、ステーの孔を確実にコーンに挿入できるようにするには、孔径はコーンの孔の高さの該当位置の外形より余裕を持った大きさにする必要があり、結果的に孔径がコーン外径より大きい為看板が、がたつき振動破損しやすくなるという課題がある。更にコーン設置の大地に対して慨垂直となり、認識しにくい角度の看板となるという課題がある。又、看板下部が地面に接地している為、泥はねで汚染されやすいという欠点があった。
【課題を解決するための手段】
【０００５】  本考案は上記事情に鑑みてなされたものであり、本考案の請求項１記載のコーン取り付け看板は、看板の表示部裏面の２か所以上にベルト状の変形可能な材料から成る固定ベルトの一方を固定し、前記看板の表示部裏面に設置した固定ベルトの他方の開放部を締め付け固定可能とする締め付け部とを設けたことを特徴としたものになっている。
【考案の効果】
【０００６】  本考案の請求項１記載のコーン取り付け看板は、コーンに取り付け可能な看板において、看板の表示部裏面の２か所以上にベルト状の変形可能な材料から成る固定ベルトの一方を固定し、前記看板の表示部裏面に設置した固定ベルトの他方の開放部を締め付け固定可能とする締め付け部とを設けたことを特徴としたものになっているので、看板をコーンに確実に締め付けて固定することができ、がたつきによる破損は生じないという利点がある。更に下方の外径が大きく、上方の外径が小さいコーンの形状に沿って２か所以上を固定ベルトで看板をコーンに固定するために、看板の表示面はコーンと大地がなす角が鋭角となり、看板の表示部を人が認識しやすくなるという利点がある。又、地面と看板下部に距離があり看板下部が泥はね等で汚染されにくい。
【図面の簡単な説明】
【０００７】
【図１】本考案の第一実施例のコーン取り付け看板の使用状態を示す側面図。
【図２】本考案の第一実施例のコーン取り付け看板の使用状態を示す斜視図。
【図３】本考案第一実施例のコーン取り付け看板の上からの外観図。
【考案を実施するための形態】
【０００８】以下、本考案を適用実施したコーン取り付け看板を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【０００９】  図１は、本考案の第一実施例のコーン取り付け看板の側面図を示し、図１のように本考案の第一実施例のコーン取り付け看板は、看板に取り付けた板状のフラットバー（３）と看板間で固定した締め付け部（４）にコーン（１）の円錐形状に合わせたベルト状の固定ベルト（５）の一端を締め付け部（４）のいずれかで固定させ、固定ベルト（５）の他端を別の締め付け部に固定し、看板（２）をコーン（１）に固定させている。
【００１０】  図２は、本考案を上部からの実施形態を示し、コーン（１）の高さの位置にベルト状の固定ベルト（５）を上下二か所に支持固定させ着脱可能にしている。
【００１１】  図３は、本考案を上部からの形態を示し、変形可能なベルト状の固定ベルト（５）であることを、示している。
【００１２】  以上説明したように、本考案第一実施形態のコーン取り付け看板は、看板の表示部裏面の２か所以上にベルト状の変形可能な材料から成る固定ベルトの一方を固定し、前記看板の表示部裏面に設置した固定ベルトの開放部を締め付け固定可能な締め付け部とを設けたことを特徴としたものになっているので、看板をコーンに確実に締め付けて固定することができ、がたつきによる破損は生じないという利点がある。更に下方の外径が大きく、上方の外径が小さいコーンの形状に沿って２か所以上を固定ベルトで看板をコーンに固定するために、看板の表示面はコーンと大地がなす角が鋭角となり、看板の表示部を人が認識しやすくなるという利点がある。又、地面と看板下部に距離があり看板下部が泥はねで汚染されにくい。
【００１３】  図２は、本考案の実施形態の上部からの斜視図である。
【産業上の利用可能性】
【００１５】  本考案は、コーンに取り付けられ看板、標識等利用度が高く広範囲な産業で利用可能である。
【符号の説明】
【００１６】    １・・コーン
２・・看板
３・・フラットバー
４・・締め付け部
５・・固定ベルト
【図１】
0003234934.tif 000003
【図２】
0003234934.tif 000004
【図３】
0003234934.tif 000005
(57)【要約】【課題】  大きな動きのできるバランス運動具を提供する。【課題を解決するための手段】  バランス運動具１は、断面が部分円弧状または部分楕円弧状に湾曲した剛性を有する板体２から成る。板体２の湾曲方向の両端部の一方に片足を載せ、他方にもう片方の足を載せて立った姿勢で乗るか、または一方に両足を載せ、他方に両手を載せ、腰を浮かした四つん這い姿勢で乗ることが可能に形成されている。【選択図】      図４
0003234938.tif 000002
【実用新案登録請求の範囲】
【請求項１】
断面が部分円弧状または部分楕円弧状に湾曲した剛性を有する板体から成り、
板体の湾曲方向の両端部の一方に片足を載せ、他方にもう片方の足を載せて立った姿勢で乗るか、または一方に両足を載せ、他方に両手を載せ、腰を浮かした四つん這い姿勢で乗ることが可能に形成されていること、
を特徴とするバランス運動具。
【考案の詳細な説明】
【技術分野】
【０００１】
本考案はバランス運動具に係り、とくに家の中で使用可能なバランス運動具に関する。
【背景技術】
【０００２】
従来から、家の中で使用でき、バランス感覚を養う運動道具としてバランスボールが有った。けれども、バランスボールに対しては、座る、腹ばいに乗る、仰向けに乗るなどの姿勢による小さな動きしかできないという欠点があった。
【考案の概要】
【考案が解決しようとする課題】
【０００３】
本考案は上記した問題に鑑みなされたもので、大きな動きのできるバランス運動具を提供することを、その目的とする。
【課題を解決するための手段】
【０００４】
請求項１記載の考案は、
断面が部分円弧状または部分楕円弧状に湾曲した剛性を有する板体から成り、
板体の湾曲方向の両端部の一方に片足を載せ、他方にもう片方の足を載せて立った姿勢で乗るか、または一方に両足を載せ、他方に両手を載せ、腰を浮かした四つん這い姿勢で乗ることが可能に形成されていること、
を特徴としている。
【考案の効果】
【０００５】
本考案によれば、例えば両端部の一方に片足を載せ、他方にもう片方の足を載せて立った姿勢で乗ったり、または一方に両足を載せ、他方に両手を載せ、腰を浮かした四つん這い姿勢で乗り、左右に揺らすことで動きの大きなバランス運動が可能になる。
【図面の簡単な説明】
【０００６】
【図１】図１は本考案の一実施例に係るバランス運動具の外観斜視図である（実施例１）。
【図２】図２は図１の平面図である。
【図３】図３は図１の側面図である。
【図４】図４はバランス運動具の使用方法の説明図である。
【図５】図５はバランス運動具の使用方法の説明図である。
【考案を実施するための最良の形態】
【０００７】
以下、本考案の最良の形態を実施例に基づき説明する。
【実施例１】
【０００８】
図１乃至図３を参照して本考案の一実施例に係るバランス運動具を説明する。図１は本考案の一実施例に係るバランス運動具の外観斜視図、図２は図１の平面図、図３は図１の側面図である。
これらの図において、１は家の中で多彩なバランス運動ができるバランス運動具であり、断面が中心角約３０度の部分円弧状または部分楕円弧状に湾曲した剛性を有する板体２から成る。板体２は、例えば厚みの有る幅６０ｃｍ程度、長さ１２０ｃｍ程度の大きさの長方形状の合板を曲げ加工することにより形成されている。板体２の湾曲方向の両方の端部３、４は互いに対向しており、平行な端縁３Ａ、４Ａを有している。
【０００９】
板体２は、湾曲方向の一方の端部３に片足を載せ、他方の端部４にもう片方の足を載せて立った姿勢で乗ったり、または一方の端部３に両足を載せ、他方の端部４に両手を載せ、腰を浮かした四つん這い姿勢で乗ることが可能に形成されている。
【００１０】
次に、図４、図５を参照して上記したバランス運動具１の使用方法を説明する。
例えば図４に示す如く板体２の湾曲した方向の一方の端部３に左足、他方の端部４に右足を載せて立った姿勢で乗ったあと、体を左に傾けて体重を端縁３Ａの方に移動すると（図４の矢印Ａ参照）、板体２が湾曲しているので端縁３Ａが下がり、反対の端縁４Ａが上がり、左足が下がり、右足が上がるので、上体を右に傾けて倒れないようにし、さらに体重を端縁４Ａの方に移動すると（図４の矢印Ｂ参照）、端縁３Ａが上がり、反対の端縁４Ａが下がり、左足が上がり、右足が下がるので、今度は上体を左に傾けて倒れないようにする、という具合にして、立った姿勢で左右に大きなシーソ運動をすることができる。
【００１１】
また図５に示す如く、板体２の湾曲した方向の一方の端部３に両足を載せ、他方の端部４に両手を載せ、腰を浮かせた姿勢で乗ったあと、おしりを両足に近づけて体重を端縁３の方へ移動すると（図５の矢印Ｃ参照）、板体２が湾曲しているので端縁３が下がり、反対の端縁４が上がり、両足が下がり、両手が上がるので、おしりを両手の方へ近づけてひっくり返らないようにし、さらに体重を端縁４の方へ移動すると（図５の矢印Ｄ参照）、端縁３が上がり、反対の端縁４が下がり、両足が上がり、両手が下がるので、今度はおしりを両足の方へ近づけてひっくり返らないようにする、という具合にして、腰を浮かした四つん這い姿勢で左右に大きなシーソ運動をすることができる。
【００１２】
この実施例によれば、例えば板体２の湾曲方向の端部３、４の一方に片足を載せ、他方にもう片方の足を載せて立った姿勢で乗ったり、または端部３、４の一方に両足を載せ、他方に両手を載せ、腰を浮かした四つん這い姿勢で乗り、左右に揺らすことで動きの大きなバランス運動が可能になる。
【００１３】
なお、剛性の有る板体は、硬質プラスチックにより形成しても良い。また、板体の湾曲は中心角約３０度に何ら限定されず、中心角約２０度乃至１５０度程度としても良い。
また、幅６０ｃｍ程度、弧長１２０ｃｍ程度の大きさに限定されず、幅は例えば幅２５ｃｍ乃至８０ｃｍ程度として良く、弧長は８０ｃｍ乃至１５０ｃｍ程度としても良い。
【産業上の利用可能性】
【００１４】
本考案は、家庭やオフィスの中などで使用する運動具に適用可能である。
【符号の説明】
【００１５】
１  バランス運動具
２  板体
３、４  端部
【図１】
0003234938.tif 000003
【図２】
0003234938.tif 000004
【図３】
0003234938.tif 000005
【図４】
0003234938.tif 000006
【図５】
0003234938.tif 000007